(57)【要約】【課題】新規入場時と再入場時に撮影した人物画像に基づいて再入場者と新規入場者とが同一人物かを判定し、両者が異なる場合でも、直ちにその入場を拒否せず、再入場者の確認を前提とする入退場管理システムを提供できるようにする。【解決手段】入場ゲート装置２は、新規入場時に撮影装置２２によってその入場者を撮影した新規入場者画像を入場管理データベース１２内に保存しておき、再入場ゲート装置４は、再入場時に撮影装置４２によって再入場者を撮影した再入場者画像と入場管理データベース１２内の各新規入場者画像とを比較して、再入場者と新規入場者とが同一人物かを判定し、非同一人物であれば、再入場者を確認すべきことを指示する入場確認の案内メッセージを出力する。【選択図】　図１
2004126991.tif 000002
【特許請求の範囲】
【請求項１】
施設への新規入場時にその入場者を撮影した新規入場者画像を保存する入場画像保存手段と、
再入場時にその再入場者を撮影した再入場者画像と前記新規入場者画像とを比較して、再入場者と新規入場者とが同一人物かを判定する判定手段と、
この判定手段によって非同一人物であることが判定された場合には、再入場者を確認すべきことを指示する入場確認案内通知を出力する案内出力手段と、
を具備したことを特徴とする入退場管理システム。
【請求項２】
前記判定手段は、前記入場画像保存手段に記憶されている全ての新規入場者画像と再入場者画像とを比較することによって、現時点までに入場した新規入場者の中に同一人物が含まれているかを否か判定する、
ようにしたことを特徴とする請求項１記載の入退場管理システム。
【請求項３】
入場者を特定する特定情報を取得する取得手段を設け、
前記入場画像保存手段は、新規入場時に取得した特定情報に対応付けて新規入場者画像を記憶し、
前記判定手段は、再入場時に取得した特定情報に基づいて新規入場時の特定情報を検索し、この特定情報に対応する新規入場者画像を読み出して再入場者画像と比較する、
ようにしたことを特徴とする請求項１記載の入退場管理システム。
【請求項４】
施設退場時にその退場者を撮影した退場者画像を保存する退場画像保存手段と、
再入場時にその再入場者を撮影した再入場者画像と前記退場者画像とを比較して、再入場者と退場者とが同一人物かを判定する判定手段と、
この判定手段によって非同一人物であることが判定された場合には、再入場者を確認すべきことを指示する入場確認案内通知を出力する案内出力手段と、
を具備したことを特徴とする入退場管理システム。
【請求項５】
施設への新規入場時にその入場者を撮影した新規入場者画像を保存する入場画像保存手段を設け、
前記判定手段は、再入場者画像との比較対象として、前記退場者画像および前記新規入場者画像を指定可能とした、
ことを特徴とする請求項４記載の入退場管理システム。
【請求項６】
前記判定手段は、前記退場者画像を比較対象として指定した後、この退場者画像の中に再入場者に該当する画像が無いことを条件に、前記新規入場者画像を比較対象として指定する、
ようにしたことを特徴とする請求項５記載の入退場管理システム。
【請求項７】
前記入場確認案内通知を出力した後、再入場者の動作を監視する監視手段と、この監視手段によって検出された再入場者の動作に基づいて入場確認が済んだか否かを判別する判別手段と、
を設け、この判別手段によって入場確認が済んでいないことが判別された場合には、入場拒否処理を実行する、
ようにしたことを特徴とする請求項１あるいは４記載の入退場管理システム。
【請求項８】
施設退場者に関する画像をその退場時刻に対応付けて保存する画像保存記憶手段と、
再入場時にその再入場者を撮影した再入場者画像と前記保存画像とを比較して、再入場者と退場者とが同一人物かを判定する判定手段と、
この判定手段によって同一人物であることが判定された場合に、当該保存画像に対応付けられている退場時刻を取得し、この退場時刻からの経過時間に基づいて再入場を許可するかを決定する決定手段と、
を具備したことを特徴とする入退場管理システム。
【請求項９】
施設への新規入場時にその入場者を撮影した新規入場者画像を保存する入場画像保存手段と、
施設退場時にその退場者を撮影した退場者画像と前記新規入場者画像とを比較して、退場者画像と新規入場者とが同一人物かを判定する判定手段と、
この判定手段によって非同一人物であることが判定された場合には、退場者を確認すべきことを指示する退場確認案内通知を出力する案内出力手段と、
を具備したことを特徴とする入退場管理システム。
【請求項１０】
前記退場確認案内通知を出力した後、その退場確認を無視する退場者に対して、退場拒否処理を行う、
ようにしたことを特徴とする請求項９記載の入退場管理システム。
【請求項１１】
コンピュータに対して、
施設への新規入場時にその入場者を撮影した新規入場者画像を保存管理する機能と、
再入場時にその再入場者を撮影した再入場者画像と前記新規入場者画像とを比較して、再入場者と新規入場者とが同一人物かを判定する機能と、
非同一人物であることが判定された場合には、再入場者を確認すべきことを指示する入場確認案内通知を出力する機能と、
を実現させるためのプログラム。
【請求項１２】
コンピュータに対して、
施設退場時にその退場者を撮影した退場者画像を保存管理する機能と、
再入場時にその再入場者を撮影した再入場者画像と前記退場者画像とを比較して、再入場者と退場者とが同一人物かを判定する機能と、
非同一人物であることが判定された場合には、再入場者を確認すべきことを指示する入場確認案内通知を出力する機能と、
を実現させるためのプログラム。
【請求項１３】
コンピュータに対して、
施設退場者に関する画像をその退場時刻に対応付けて保存管理する機能と、
再入場時にその再入場者を撮影した再入場者画像と前記保存画像とを比較して、再入場者と退場者とが同一人物かを判定する機能と、
同一人物であることが判定された場合に、当該保存画像に対応付けられている退場時刻を取得し、この退場時刻からの経過時間に基づいて再入場を許可するかを決定する機能と、
を実現させるためのプログラム。
【請求項１４】
コンピュータに対して、
施設への新規入場時にその入場者を撮影した新規入場者画像を保存管理する機能と、
施設退場時にその退場者を撮影した退場者画像と前記新規入場者画像とを比較して、退場者画像と新規入場者とが同一人物かを判定する機能と、
非同一人物であることが判定された場合には、退場者を確認すべきことを指示する退場確認案内通知を出力する機能と、
を実現させるためのプログラム。
【発明の詳細な説明】
【０００１】
【発明の属する技術分野】
この発明は、施設への入退場を管理する入退場管理システムおよびプログラムに関する。
【０００２】
【従来の技術】
一般に、有料施設、公共施設への入場時には、入場チケットを改札機に投入したり、入場係員にチケットを提示することによって入場チェックを行うようにしているが、一旦入場した後において、例えば、自動車の駐車場所を確認したり、駐車位置を変更する場合あるいは忘れ物に気付いたり、緊急な用事がある場合等、一時的に退場して再入場することがある。
このような場合、係員を探し、その旨を伝えて一時的な退場の許可を受けた後、再入場するようにしているが、その際、再度の入場チェックを受ける必要がある等、入退場の煩雑さの他に、再入場への不安も重なって気軽に一時退場を行うことはできなかった。一方、施設側にあっては、一時退場者が第三者に渡したチケットを使って第三者が不正に入場する事態も予測されることから、再入場を禁止する施設も存在する。
このような再入場を管理する技術としては、従来、一時退場時に指紋採取を行って一定期間保存し、再入場時に指紋照合を行って一時退出者か新規入場者かを区別するようにした入退場管理システムが知られている（特許文献１参照）。
また、搭乗ゲートにおいて、搭乗券による改札処理で、入場時の改札処理のみならず、一時退場時にも改札処理を行って退場者を管理し、退場者の再入場を行えるようにし、一時退場者が戻らない場合には、その案内を行うようにした入退場管理装置及び入退場管理システムが知られている（特許文献２参照）。
【０００３】
【特許文献１】
特開平１０−２０８０９７号公報
【特許文献２】
特開２０００−２９８７３７号公報
【０００４】
【発明が解決しようとする課題】
ところで、一時的な退場時やその再入場時に顧客に対して特別な操作を要求することは、顧客に大きな負担をかけると共に、入退場の迅速化を妨げ、しかも、厳重なチェック体制は、顧客に不愉快な思いを抱かせることにもなる。
また、一時的な退場であっても、かなり長い時間を経て再入場することは、何らかの問題がある可能性も考えられるが、このような場合でも、その再入場を無条件に許可することは適切ではない。更に、厳重な入場チェックを実施したとしても、正規な入口から入場しなかったり、入場手続きを経ずに入場した不正入場者が居たとしても、一旦入場した後では、この不正を取り締まることはできない。
【０００５】
第１の発明の課題は、新規入場時と再入場時に撮影した人物画像に基づいて再入場者と新規入場者とが同一人物かを判定し、両者が異なる場合でも、直ちにその入場を拒否せず、再入場者の確認を前提とする入退場管理システムを提供できるようにすることである。
第２の発明の課題は、退場時と再入場時に撮影した人物画像に基づいて再入場者と退場者とが同一人物かを判定し、両者が異なる場合でも、直ちにその入場を拒否せず、再入場者の確認を前提とする入退場管理システムを提供できるようにすることである。
第３の発明の課題は、新規入場時（または退場時）と再入場時に撮影した人物画像に基づいて同一人物であることを判定した場合でも、一時退場時から再入場時までの経過時間に応じて再入場の可否を決定する入退場管理システムを提供できるようにすることである。
第４の発明の課題は、新規入場時と退場時に撮影した人物画像に基づいて再入場者と新規入場者とが同一人物かを判定し、新規入場者ではない人物が退場する場合には、その退場者の確認を前提とする入退場管理システムを提供できるようにすることである。
【０００６】
【課題を解決するための手段】
請求項１記載の発明（第１の発明）は、施設への新規入場時にその入場者を撮影した新規入場者画像を保存する入場画像保存手段と、再入場時にその再入場者を撮影した再入場者画像と前記新規入場者画像とを比較して、再入場者と新規入場者とが同一人物かを判定する判定手段と、この判定手段によって非同一人物であることが判定された場合には、再入場者を確認すべきことを指示する入場確認案内通知を出力する案内出力手段とを具備するものである。
更に、コンピュータに対して、上述した請求項１記載の発明に示した主要機能を実現させるためのプログラムを提供する（請求項１１記載の発明）。
【０００７】
したがって、請求項１、１１記載の発明は、新規入場時にその入場者を撮影した新規入場者画像を保存しておき、再入場時にその再入場者を撮影した再入場者画像と新規入場者画像とを比較して、再入場者と新規入場者とが同一人物かを判定し、非同一人物であれば、再入場者を確認すべきことを指示する入場確認案内通知を出力するようにしたから、不正入場者を効果的に規制できることは勿論、再入場者と新規入場者とが異なる場合でも、直ちにその入場を拒否するのではなく、先ずは再入場者を確認するというソフトな応対が可能となり、たとえ、再入場時に正規な入場者が画像チェックで制限を受けたとしても、不愉快な思いをさせずに応対することができる等、効果的な運用を可能とした入退場管理システムを提供することができる。
【０００８】
なお、請求項１記載の発明は次のようなものであってもよい。
前記判定手段は、前記入場画像保存手段に記憶されている全ての新規入場者画像と再入場者画像とを比較することによって、現時点までに入場した新規入場者の中に同一人物が含まれているか否かを判定する（請求項２記載の発明）。
したがって、請求項２記載の発明によれば、請求項１記載の発明と同様の効果を有する他に、全ての新規入場者画像と再入場者画像とを比較することによって、現時点までに入場した新規入場者の中に同一人物が含まれているか否かを判定するようにしたから、一時退場時や再入場時に特別な操作を顧客に対して要求することなく対応することができる他、一時退場者や再入場者を監視する大勢の専任係員を配備しておく必要もなく、人件費等においても有効なものとなる。
【０００９】
入場者を特定する特定情報を取得する取得手段を設け、前記入場画像保存手段は、新規入場時に取得した特定情報に対応付けて新規入場者画像を記憶し、前記判定手段は、再入場時に取得した特定情報に基づいて新規入場時の特定情報を検索し、この特定情報に対応する新規入場者画像を読み出して再入場者画像と比較する（請求項３記載の発明）。
したがって、請求項３記載の発明によれば、請求項１記載の発明と同様の効果を有する他に、入場者を特定する特定情報として、例えば、入場チケット番号に対応付けて新規入場者画像を保存しておけば、再入場時に取得したチケット番号に基づいて比較対象の新規入場者画像を直ちに検索することができ、画像比較を迅速かつ確実に行うことが可能となる
【００１０】
前記入場確認案内通知を出力した後、再入場者の動作を監視する監視手段と、この監視手段によって検出された再入場者の動作に基づいて入場確認が済んだか否かを判別する判別手段とを設け、この判別手段によって入場確認が済んでいないことが判別された場合には、入場拒否処理を実行する（請求項７記載の発明）。
したがって、請求項７記載の発明によれば、請求項１記載の発明と同様の効果を有する他に、入場確認案内通知を出力した後、再入場者の動作を監視し、例えば、入場確認が済でいないにも拘らず、ゲートを通過しようとする場合に限って、ゲートをクローズするようにすれば、入場拒否を直ちに行わず、再入場者を確認するというソフトな応対が可能となる他、強引にゲートを通過しようとする不正入場者に対しては確実な規制が可能となる。
【００１１】
請求項４記載の発明（第２の発明）は、施設退場時にその退場者を撮影した退場者画像を保存する退場画像保存手段と、再入場時にその再入場者を撮影した再入場者画像と前記退場者画像とを比較して、再入場者と退場者とが同一人物かを判定する判定手段と、この判定手段によって非同一人物であることが判定された場合には、再入場者を確認すべきことを指示する入場確認案内通知を出力する案内出力手段とを具備するものである。
更に、コンピュータに対して、上述した請求項４記載の発明に示した主要機能を実現させるためのプログラムを提供する（請求項１２記載の発明）。
【００１２】
したがって、請求項４、１２記載の発明は、退場時にその退場者を撮影した退場者画像を保存しておき、再入場時にその再入場者を撮影した再入場者画像と退場者画像とを比較して、再入場者と退場者とが同一人物かを判定し、非同一人物であれば、再入場者を確認すべきことを指示する入場確認案内通知を出力するようにしたから、不正入場者を効果的に規制できることは勿論、再入場者と退場者とが異なる場合でも、直ちにその入場を拒否するのではなく、先ずは再入場者を確認するというソフトな応対が可能となり、たとえ、再入場時に正規な入場者が画像チェックで制限を受けたとしても、不愉快な思いをさせずに応対することができる等、効果的な運用を可能とした入退場管理システムを提供することができる。
【００１３】
なお、請求項４記載の発明は次のようなものであってもよい。
施設への新規入場時にその入場者を撮影した新規入場者画像を保存する入場画像保存手段を設け、前記判定手段は、再入場者画像との比較対象として、前記退場者画像および前記新規入場者画像を指定可能とする（請求項５記載の発明）。したがって、請求項５記載の発明によれば、請求項４記載の発明と同様の効果を有する他に、再入場者画像との比較対象として、退場者画像および新規入場者画像を指定可能としたから、画像チェックの確実性が増し、厳重なチェックが可能となる。
【００１４】
前記判定手段は、前記退場者画像を比較対象として指定した後、この退場者画像の中に再入場者に該当する画像が無いことを条件に、前記新規入場者画像を比較対象として指定する（請求項６記載の発明）。
したがって、請求項６記載の発明によれば、請求項４および５記載の発明と同様の効果を有する他に、一時退場者数は、新規入場者数に比べて極端に少ないことが予想されることを考慮し、退場者画像を比較対象として指定した後、この退場者画像の中に再入場者に該当する画像が無いことを条件に、新規入場者画像を比較対象として指定するようにしたから、最初に新規入場者画像を比較対象として指定する場合に比べ、画像チェックを効率良く行うことが可能となる。
【００１５】
前記入場確認案内通知を出力した後、再入場者の動作を監視する監視手段と、この監視手段によって検出された再入場者の動作に基づいて入場確認が済んだか否かを判別する判別手段とを設け、この判別手段によって入場確認が済んでいないことが判別された場合には、入場拒否処理を実行する（請求項７記載の発明）。
したがって、請求項７記載の発明によれば、請求項４記載の発明と同様の効果を有する他に、上述と同様の効果を有する。
【００１６】
請求項８記載の発明（第３の発明）は、施設退場者に関する画像をその退場時刻に対応付けて保存する画像保存記憶手段と、再入場時にその再入場者を撮影した再入場者画像と前記保存画像とを比較して、再入場者と退場者とが同一人物かを判定する判定手段と、この判定手段によって同一人物であることが判定された場合に、当該保存画像に対応付けられている退場時刻を取得し、この退場時刻からの経過時間に基づいて再入場を許可するか否かを決定する決定手段とを具備するものである。
更に、コンピュータに対して、上述した請求項８記載の発明に示した主要機能を実現させるためのプログラムを提供する（請求項１３記載の発明）。
【００１７】
したがって、請求項８、１３記載の発明は、退場者の画像（新規入場者画像あるいは退場者画像）をその退場時刻に対応付けて保存しておき、再入場時にその再入場者を撮影した再入場者画像と保存画像とを比較して、再入場者と退場者とが同一人物かを判定し、同一人物であれば、その保存画像に対応付けられている退場時刻からの経過時間に基づいて再入場を許可するか否かを決定するようにしたから、再入場に対して時間制限を設ることができ、ほんの一時的な退場者であれば、その再入場を即座に許可し、かなり時間を経ての再入場であれば、何らかの問題がある可能性が高いために、その再入場を保留することができ、一時退場時から再入場時までの経過時間に応じて再入場管理を区別することが可能となる。
【００１８】
請求項９記載の発明（第４の発明）は、施設への新規入場時にその入場者を撮影した新規入場者画像を保存する入場画像保存手段と、施設退場時にその退場者を撮影した退場者画像と前記新規入場者画像とを比較して、退場者画像と新規入場者とが同一人物かを判定する判定手段と、この判定手段によって非同一人物であることが判定された場合には、退場者を確認すべきことを指示する退場確認案内通知を出力する案内出力手段とを具備するものである。
更に、コンピュータに対して、上述した請求項９記載の発明に示した主要機能を実現させるためのプログラムを提供する（請求項１４記載の発明）。
【００１９】
したがって、請求項９、１４記載の発明は、新規入場時にその入場者を撮影した新規入場者画像を保存しておき、退場時にその退場者を撮影した退場者画像と新規入場者画像とを比較して、退場者画像と新規入場者とが同一人物かを判定し、非同一人物であれば、退場者を確認すべきことを指示するようにしたから、正規な入口から入場しなかったり、入場手続きを経ずに入場した不正入場者が居た場合に、その退場時にその不正者を取り締まることができ他、直ちに不正者として扱うのではなく、先ずは退場者を確認するというソフトな応対が可能となり、たとえ、正規な入場者が画像チェックで制限を受けたとしても不愉快な思いをさせずに応対することができる。
この場合、前記退場確認案内通知を出力した後、その退場確認を無視する退場者に対して、退場拒否処理を行うようにすれば（請求項１１記載の発明）、その退場者を不正入場者として認定し、その退場を規制することができる。
【００２０】
【発明の実施の形態】
以下、図１〜図８を参照してこの発明の一実施形態を説明する。
図１は、この実施形態における入退場管理システムの全体構成を示したブロック図である。
この入退場管理システムは、有料施設、公共施設に構築されたＬＡＮ（構内専用網）システムであり、ＤＢ（データベース）管理サーバ１、入場ゲート装置２、退場ゲート装置３、再入場ゲート装置４を有し、各ゲート装置２、３、４は、ＬＡＮ（有線網／無線網）５を介してＤＢ管理サーバ１をアクセスすることができるようになっている。
【００２１】
入場ゲート装置２は、新規入場者用の正規な入場口に設置されているもので、この入場ゲート装置２の近傍には、入場を監視するゲートセンサ２１と、入場者を撮影する撮影装置２２が設けられており、このゲートセンサ２１、撮影装置２２は、入場ゲート装置２にケーブル接続されている。同様に、退場ゲート装置３は、退場口に設置されているもので、この退場ゲート装置３の近傍には、退場者を監視するゲートセンサ３１と、退場者を撮影する撮影装置３２が設けられており、このゲートセンサ３１、撮影装置３２は、退場ゲート装置３にケーブル接続されている。再入場ゲート装置４は、再入場専用の専用口にされているもので、この再入場ゲート装置４の近傍には、再入場を監視するゲートセンサ４１と、再入場者を撮影する撮影装置４２が設けられており、このゲートセンサ４１、撮影装置４２は、再入場ゲート装置４にケーブル接続されている。
【００２２】
ゲートセンサ２１、３１、４１は、例えば、赤外線の遮光を検知する遮光型センサであり、入場者／退場者／再入場者がゲートを通過したことを検知した際に、この検知信号を対応する入場ゲート装置２／退場ゲート装置３／再入場ゲート装置４に与える。
撮影装置２２、３２、４２は、撮像素子としてのＣＣＤエリアセンサを利用して、被写体像をデジタル画像に変換する高画質のビデオカメラあるいはスチールカメラであり、ゲートの付近をモニタ撮影して、このモニタ画像を対応するゲート装置２、３、４に与える。この場合、各ゲート装置２、３、４は、モニタ画像を処理して人物の有無をチェックし、人物が居る場合には、対応する撮影装置２２、３２、４２に対してその人物を撮影すべきことを指示する。その際、撮影装置２２、３２、４２は、人物を正面方向からその顔を撮影し、この撮影画像（顔画像）を対応するゲート装置２、３、４へ転送する。なお、各ゲート装置２、３、４は、モニタ画像を処理して人物の行動をチェックし、その行動に応じてゲート制御の処理を行うようにしている。
【００２３】
図２は、各ゲート装置２、３、４の基本的構成要素を示したブロック図である。
各ゲート装置２、３、４は、ＣＰＵ１０１を中核とするもので、ＣＰＵ１０１は、記憶装置１０２内のオペレーティングシステムや各種アプリケーションソフトにしたがってこのゲート装置２、３、４の全体動作を制御する中央演算処理装置である。記憶装置１０２は、プログラム記憶領域とデータ記憶領域とを有し、磁気的、光学的、半導体メモリ等やその駆動系によって構成されている。この記録装置１０２はハードディスク等の固定的なメモリの他、ＣＤ−ＲＯＭ、ＤＶＤ等の着脱自在な記憶媒体を装着可能な構成であってもよい。この記憶装置１０２内のプログラムやデータは、必要に応じてＲＡＭ（例えば、スタティックＲＡＭ）１０３にロードされたり、ＲＡＭ１０３内のデータが記憶装置１０２にセーブされる。なお、ＲＡＭ１０３内には、プログラム実行領域と作業領域とを有している。更に、ＣＰＵ１０１は通信部１０４を介して他の電子機器側のプログラム／データを直接アクセスして使用したり、通信部１０４を介してダウンロード受信することもできる。通信部１０４は、有線／無線の通信インターフェイスである。
【００２４】
一方、ＣＰＵ１０１にはその入出力周辺デバイスであるチケット読取装置１０５、ゲート開閉機構１０６、メッセージ案内出力部１０７がバスラインを介して接続されており、入出力プログラムにしたがってＣＰＵ１０１はそれらの動作を制御する。
チケット読取装置１０５は、顧客が投入した入場チケットから必要事項（チケット番号等）を光学的／磁気的に読取るもので、読取ったチケット情報をＣＰＵ１０１に与える。ゲート開閉機構１０６は、顧客の入退場を制限する為にゲートの開閉を制御する機構部であり、ＣＰＵ１０１は、ゲート開閉機構１０６に対してゲートオープン信号／クローズ信号を与える。メッセージ案内出力部１０７は、入退場の担当係員に対して入退場に関する表示メッセージを出力する表示装置と音声メッセージを出力するスピーカを含む音響装置によって構成されている。
【００２５】
図３は、ＤＢ管理サーバ１によってアクセスされる各種のデータベースを示し、（Ａ）は、入場チケットデータベース１１、（Ｂ）は、入場管理データベース１２、（Ｃ）は、退場管理データベース１３の内容を示した図である。
入場チケットデータベース１１は、有効な入場チケットか否かを照合する為の照合用のチケット情報を記憶管理するもので、入場チケット毎に、入場チケット固有の識別番号である「チケット番号」と、入場を許可する開催日時を示す「許可日時」を記憶する構成となっている。
【００２６】
入場管理データベース１２は、各入場者に関する情報を記憶管理するもので、入場者毎に、「チケット番号」、「入場時刻」、「退場時刻」、「入場画像」を記憶する構成となっている。「入場画像」は、施設への新規入場時において、入場ゲート装置２側の撮影装置２２によって撮影された入場者の顔画像であり、入場ゲート装置２は、投入された入場チケットから読取った「チケット番号」と共にこの入場者画像を、ＤＢ管理サーバ１を介して入場管理データベース１２内に登録保存させる。なお、「退場時刻」は、施設を退場した際に、退場ゲート装置３によって検出された時刻である。
【００２７】
退場管理データベース１３は、各退場者に関する情報を記憶管理するもので、退場者毎に、「チケット番号」、「退場時刻」、「退場画像」を記憶する構成となっている。「退場画像」は、退場時に撮影された退場者の顔画像であり、退場ゲート装置３は、退場時にその退場者を撮影した退場者画像と入場管理データベース１２内の入場者画像とを比較し、正規の入場者が退場する場合には、入場管理データベース１２内の「チケット番号」と共に、この退場者画像を退場管理データベース１３内に一時保存する。
【００２８】
ここで、入場ゲート装置２、再入場ゲート装置４は、施設を一時退場した退場者が再入場する時に、その再入場者を撮影した再入場者画像と退場管理データベース１３、入場管理データベース１２内に登録されている保存画像とを比較することによって両者の一致／不一致、つまり、同一人物か否かを判定し、同一人物であれば、その再入場を許可するが、非同一人物であれば、再入場者を確認すべきことを係員に対して指示する入場確認の案内メッセージを出力するようにしている。
【００２９】
次に、この実施形態における入退場管理システムの動作アルゴリズムを図４〜図８に示すフローチャートを参照して説明する。ここで、これらのフローチャートに記述されている各機能は、読み取り可能なプログラムコードの形態で格納されており、このプログラムコードにしたがった動作を逐次実行する。また、伝送媒体を介して伝送されてきた上述のプログラムコードにしたがった動作を逐次実行することもできる。すなわち、記録媒体の他、伝送媒体を介して外部供給されたプログラム／データを利用してこの実施形態特有の動作を実行することもできる。
【００３０】
図４は、入場ゲート装置２の動作を示したフローチャートである。
先ず、入場ゲート装置２は、ゲート開閉機構１０６に対してゲートクローズ信号を与えと共に、撮影装置２２に対してモニタ動作の開始信号を与えた後に（ステップＡ１）、撮影装置２２によってモニタ撮影された入場ゲート付近の画像を取り込んで画像解析し、この画像の中に入場者が写っているかをチェックし、入場者を確認するまで待機する（ステップＡ２）。ここで、入場者を確認すると、入場チケットが投入されたか否かを調べ（ステップＡ３）、その投入が検知されると、チケット読取装置１０５を作動させてチケット情報を読取らせ（ステップＡ４）、このチケット情報に基づいて正規なチケットか否かを判別する（ステップＡ５）。
【００３１】
この結果、正規なチケットでなければ（ステップＡ５でＮＯ）、メッセージ案内出力部１０７からチケット不可メッセージを表示出力／音声出力させると共に（ステップＡ９）、投入チケットを返却するが（ステップＡ１０）、正規なチケットであれば（ステップＡ５でＹＥＳ）、読取ったチケット情報から「チケット番号」を取得し（ステップＡ６）、ＤＢ管理サーバ１を介して入場チケットデータベース１１をアクセスし、「チケット番号」の比較を行うことによって「チケット番号」の正当性をチェックする（ステップＡ７）。
【００３２】
いま、入場チケットデータベース１１内に該当する「チケット番号」が無ければ（ステップＡ８でＮＯ）、チケット不可メッセージを表示出力／音声出力させると共に（ステップＡ９）、投入チケットを返却した後（ステップＡ１０）、次の入場者待ちとなるが（ステップＡ２）、正当な「チケット番号」であれば（ステップＡ８でＹＥＳ）、撮影装置２２に対して入場者の顔を撮影すべきことを指示する（ステップＡ１１）。
【００３３】
次に、ＤＢ管理サーバ１を介して入場管理データベース１２をアクセスし、読取った「チケット番号」に対応付けられている入場管理レコードの有無をチェックするが（ステップＡ１２）、通常は、ステップＡ１３で該当レコードが無いことが検出されるので、ステップＡ１８に移り、この「チケット番号」と共に、「入場者撮影画像（顔画像）」を入場管理データベース１２内に新規登録させる。この際、「チケット番号」、「入場者撮影画像」の他、現在時刻（入場時刻）を含む入場管理レコードを生成して入場管理データベース１２内に新規登録させる。そして、ゲート開閉機構１０６に対してオープン信号を与えてゲートを開放すると共に投入チケットを排出返却した後に（ステップＡ１９）、ゲートセンサ２１からの通過検知信号に基づいて入場者がゲートを通過したか否かを確認し（ステップＡ２０）、この通過確認を条件にステップＡ１に戻り、ゲートをクローズする。
【００３４】
一方、読取った「チケット番号」に対応する入場管理レコードが有れば（ステップＡ１３でＹＥＳ）、この入場管理レコードから「入場画像」を読み出し、この「入場画像」と今回の撮影画像との特徴比較を行う（ステップＡ１４）。つまり、撮影画像の中から特徴部分を抽出して、入場画像との特徴比較を行うが、その際、撮影画像の顔の向き、大きさにを補正した後、顔の輪郭、目、口、鼻、額等の形、位置、大きさ、髪型、メガネの有無と種類等を個別に比較する他、それらを総合比較することによって画像比較を行う。ここで、両者の特徴か一致すれば、同一人物、つまり、正規に入場した者が一時退場した後に再入場した者であると判定し（ステップＡ１５）、ゲートを開放すると共に投入チケットを返却するが（ステップＡ１９）、同一人物でなければ、係員へその旨を通知する為に、確認案内メッセージを出力させる（ステップＡ１６）。この場合、係員は、入場者と応対し、その入場を許可する場合には、所定の許可操作を行う。この係員による許可操作を条件として（ステップＡ１７）、ゲートを開放すると共に投入チケットを返却する（ステップＡ１９）。
【００３５】
図５は、退場ゲート装置３の動作を示したフローチャートである。
先ず、退場ゲート装置３は、ゲート開閉機構１０６に対してゲートオープン信号を与えと共に、撮影装置３２に対してモニタ動作の開始信号を与えた後に（ステップＢ１）、撮影装置３２によってモニタ撮影された退場ゲート付近の画像を取り込んで画像解析し、この画像の中に退場者が写っているかをチェックし、退場者を確認するまで待機する（ステップＢ２）。ここで、退場者を確認すると、撮影装置３２に対してその退場者を撮影すべきことを指示し、これによって撮影された退場者画像を取り込み（ステップＢ３）、この退場者画像に基づいて入場管理データベース１２を検索し、各登録画像（入場者画像）と比較し（ステップＢ４）、同一人物の有無をチェックする（ステップＢ５）。
【００３６】
ここで、通常、正規の入場者が退場する場合には、退場者画像に該当する入場者画像が有ることが判別される（ステップＢ５）。この場合、該当する入場管理レコード内に現在時刻を「退場時刻」として記録する（ステップＢ６）。この際、再入場する一時退場者の可能性がある為、この入場管理レコード内の「チケット番号」と「退場時刻」に、今回の退場者画像を対応付けたレコードを退場管理レコードとして生成し、退場管理データベース１３へ一時保存しておく（ステップＢ７）。
【００３７】
一方、退場者画像と各入場者画像とを比較した結果、退場者画像に該当する入場者画像が無ければ（ステップＢ５でＮＯ）、つまり、新規入場時の撮影が不良の場合や正規なゲートを通らずに不正入場した場合には、退場者に入場チケットの提示を要求すべき旨のメッセージを出力する（ステップＢ８）。ここで、係員は、退場者に対してチケットの提示を求め、そのチケットを投入すると（ステップＢ９）、チケット読取装置１０５によって読取られたチケット情報の中から「チケット番号」を取得し（ステップＢ１０）、ＤＢ管理サーバ１を介して入場チケットデータベース１１をアクセスし、「チケット番号」の正当性をチェックする（ステップＢ１１）。
【００３８】
いま、正当な「チケット番号」であれば（ステップＢ１２でＹＥＳ）、新規入場時の撮影が不良の場合や間違って正規なゲートを通らずに入場した場合等が考えられる。この場合、再入場する一時退場者の可能性がある為、今回の退場時に撮影した撮影画像と当該「チケット番号」と「退場時刻」とを含む入場管理レコードを生成して、入場管理データベース１２に登録する他、この入場管理レコードに基づいて退場管理レコードを生成して、退場管理データベース１３に一時保存する（ステップＢ１３）。
【００３９】
一方、正当な「チケット番号」でなければ（ステップＢ１２でＮＯ）、正規なゲートを通らずに不正入場した場合等が考えられる為、退場者を確認すべきことを指示する確認メッセージを出力する（ステップＢ１４）。この場合、係員による確認中において、そのモニタ画像を解析することによって退場者がゲートを通過し始めたことを認識した際には（ステップＢ１５）、ゲート開閉機構１０６に対してクローズ信号を与えてゲートを閉じる（ステップＢ１６）。この場合、係員によるゲート解除操作が行われるまでゲートは閉じられたままとなっているが（ステップＢ１７）、退場者の確認が終り、ゲート解除操作が行われた場合には、ステップＢ１に戻り、ゲートを開放させる。
【００４０】
図６〜図８は、再入場ゲート装置４の動作を示したフローチャートである。
先ず、再入場ゲート装置４は、ゲート開閉機構１０６に対してゲートオープン信号を与えと共に、撮影装置４２に対してモニタ動作の開始信号を与えた後に（ステップＣ１）、撮影装置４２によってモニタ撮影された際入場ゲート付近の画像を取り込んで画像解析し、この画像の中に再入場者が写っているかをチェックし、再入場者を確認するまで待機する（ステップＣ２）。ここで、再入場者を確認すると、撮影装置４２に対してその再入場者を撮影すべきことを指示し、これによって撮影された再入場者画像を取り込み（ステップＣ３）、この再入場者画像に基づいて退場管理データベース１３を検索し、それに一時保存されている各退場者画像と比較し（ステップＣ４）、同一人物の有無をチェックする（ステップＣ５）。
【００４１】
ここで、正規な一時退場者が再入場する場合には、再入場者画像に該当する退場者画像が有ることが判別される（ステップＣ５でＹＥＳ）。この場合、該当する退場管理レコードから「退場時刻」を取得し（ステップＣ６）、現在時刻（再入場時刻）と比較して、退場から再入場までに１時間以上経過しているかをチェックするが（ステップＣ７）、１時間以内の短い一時退場であれば、再入場を許可する。そして、ステップＣ８に移り、この退場管理レコード全体を削除した後に、ステップＣ２に戻り、次の再入場者待ちとなる。
【００４２】
正規な退場ゲート以外のゲートから退場した者が再入場した場合には、ステップＣ５で再入場者画像に該当する退場者画像が無いことが判別される。すると、退場管理データベース１３に代わって、入場管理データベース１２をアクセスし、退場者画像と各入場者画像とを比較し（ステップＣ９）、同一人物の有無をチェックする（ステップＣ１０）。ここで、該当する入場者画像が有れば、当該入場管理レコード内から「退場時刻」を取得し（ステップＣ１１）、この退場時刻と現在時刻（再入場時刻）とを比較して、退場から再入場までに１時間以上経過しているかをチェックするが（ステップＣ１２）、１時間以内の短い一時退場であれば、再入場を許可し、以下、ステップＣ２に戻り、次の再入場者待ちとなる。
【００４３】
退場から再入場までに１時間以上経過していることがステップＣ７あるいはステップＣ１２で判別された場合には、何らかの問題がある可能性も考えられる為、その再入場を無条件に許可せず、図７のステップＣ１３において、再入場者に入場チケットの提示を要求すべき旨のメッセージを出力する。ここで、係員は、再入場者に対してチケットの提示を求め、そのチケットを投入すると（ステップＣ１４）、チケット読取装置１０５によって読取られたチケット情報の中から「チケット番号」を取得し（ステップＣ１５）、入場チケットデータベース１１をアクセスし、「チケット番号」の比較を行うことによって「チケット番号」の正当性をチェックする（ステップＣ１６）。
【００４４】
正当な「チケット番号」であれば（ステップＣ１７でＹＥＳ）、その再入場を許可し、以下、図６のステップＣ２に戻り、次の再入場者待ちとなるが、入場チケットデータベース１１内に該当する「チケット番号」が無ければ（ステップＣ１７でＮＯ）、正規なゲートを通らずに不正入場した場合等が考えられる為、再入場者を確認すべきことを指示する確認メッセージを出力する（ステップＣ１８）。この場合、係員による確認中において、そのモニタ画像を解析することによって再入場者がゲートを通過し始めたことを認識した際には（ステップＣ１９）、ゲート開閉機構１０６に対してクローズ信号を与えてゲートを閉じる（ステップＣ２０）。この場合、係員によるゲート解除操作が行われるまでゲートは閉じられたままとなっているが（ステップＣ２１）、再入場者の確認が終り、ゲート解除操作が行われた場合には、ゲートを開放させる（ステップＣ２２）。
【００４５】
また、退場管理データベース１３および入場管理データベース１２を検索した結果、何れにも、再入場者画像に該当する画像が存在していないことが検出された場合には（図６のステップＣ４、Ｃ５、Ｃ９、Ｃ１０）、新規入場者が入場ゲートを間違えて場合あるいは不正入場者の可能性がある為に、図８のステップＣ２３に移り、入場者に入場チケットの提示を要求すべき旨のメッセージを出力する。ここで、係員は、再入場者に対してチケットの提示を求め、そのチケットを投入すると（ステップＣ２４）、チケット読取装置１０５によって読取られたチケット情報の中から「チケット番号」を取得し（ステップＣ２５）、入場チケットデータベース１１をアクセスし、「チケット番号」の比較を行うことによって「チケット番号」の正当性をチェックする（ステップＣ２６）。
【００４６】
正当な「チケット番号」であれば（ステップＣ２７でＹＥＳ）、新規入場者が入場ゲートを間違えた場合と判断し、この「チケット番号」と共に、「入場者撮影画像」、現在時刻（入場時刻）を含む入場管理レコードを生成して入場管理データベース１２内に新規登録した後（ステップＣ２８）、投入チケットを排出返却する（ステップＣ２９）。以下、図６のステップＣ２に戻り、次の再入場者待ちとなる。
また、該当する「チケット番号」が無ければ（ステップＣ２７でＮＯ）、不正入場者の可能性がある為、入場者を確認すべきことを指示する確認メッセージを出力する（ステップＣ３０）。この場合、そのモニタ画像を解析することによって入場者がゲートを通過し始めたことを認識した際には（ステップＣ３１）、ゲート開閉機構１０６に対してクローズ信号を与えてゲートを閉じる（ステップＣ３２）。この場合、入場者の確認が終り、ゲート解除操作が行われた場合には（ステップＣ３３）、ゲートを開放させる（ステップＣ３４）。以下、図６のステップＣ２に戻り、次の再入場者待ちとなる。
【００４７】
以上のように、この実施形態において入場ゲート装置２は、新規入場時に撮影装置２２によってその入場者を撮影した新規入場者画像を入場管理データベース１２内に保存しておき、再入場ゲート装置４は、再入場時に撮影装置４２によって再入場者を撮影した再入場者画像と入場管理データベース１２内の各新規入場者画像とを比較して、再入場者と新規入場者とが同一人物かを判定し、非同一人物であれば、再入場者を確認すべきことを指示する入場確認の案内メッセージを出力するようにしたから、不正入場者を効果的に規制できることは勿論、再入場者と新規入場者とが異なる場合でも、直ちにその入場を拒否するのではなく、先ずは再入場者を確認するというソフトな応対が可能となり、たとえ、再入場時に正規な入場者が画像チェックで制限を受けたとしても、不愉快な思いをさせずに応対することが可能となる等、効果的な運用を可能とした入退場管理システムを提供することができる。
【００４８】
この場合、再入場ゲート装置４は、入場管理データベース１２内に保存されている全ての新規入場者画像と再入場者画像とを比較することによって、現時点までに入場した新規入場者の中に同一人物が含まれているか否かを判定するようにしたから、一時退場時や再入場時に特別な操作を顧客に対して要求することなく対応することができる他、一時退場者や再入場者を監視する大勢の専任係員を配備しておく必要もなく、人件費等においても有効なものとなる。
【００４９】
入場管理データベース１２内に入場者を特定するチケット番号に対応付けて新規入場者画像を保存するようにしたから、再入場ゲート装置４は、再入場時に顧客から提示された入場チケットから読取った「チケット番号」に基づいて入場管理データベース１２をアクセスすることによって、比較対象の新規入場者画像を直ちに検索することができ、画像比較を迅速かつ確実に行うことが可能となる
また、入場確認の案内メッセージを出力した後に、再入場者の動作を監視し、入場確認が済でいないにも拘らず、ゲートを通過しようとする場合に限って、ゲートをクローズするようにしたから、入場拒否を直ちに行わず、再入場者を確認するというソフトな応対が可能となる他、強引にゲートを通過しようとする不正入場者に対しては確実な規制が可能となる。
【００５０】
一方、退場ゲート装置３は、退場時にその退場者を撮影した退場者画像を退場管理データベース１３内に保存しておき、再入場ゲート装置４は、再入場時にその再入場者を撮影した再入場者画像と退場管理データベース１３内の各退場者画像とを比較して、再入場者と退場者とが同一人物かを判定し、非同一人物であれば、再入場者を確認すべきことを指示する入場確認の案内メッセージを出力するようにしたから、不正入場者を効果的に規制できることは勿論、再入場者と退場者とが異なる場合でも、直ちにその入場を拒否するのではなく、先ずは再入場者を確認するというソフトな応対が可能となり、たとえ、再入場時に正規な入場者が画像チェックで制限を受けたとしても、不愉快な思いをさせずに応対することができる等、効果的な運用を可能とした入退場管理システムを提供することができる。
【００５１】
再入場ゲート装置４は、再入場者画像との比較対象として、退場管理データベース１３内の退場者画像および入場管理データベース１２内の新規入場者画像を指定するようにしたから、画像チェックの確実性が増し、厳重なチェックが可能となる。この場合、一時退場者数は、新規入場者数に比べて極端に少ないことが予想されることを考慮し、退場者画像を比較対象として指定した後、この退場者画像の中に再入場者に該当する画像が無いことを条件に、新規入場者画像を比較対象として指定するようにしたから、最初に新規入場者画像を比較対象として指定する場合に比べ、画像チェックを効率良く行うことが可能となる。
【００５２】
退場ゲート装置３は、退場者に関する画像（新規入場者画像および退場者画像）をその退場時刻に対応付けて入場管理データベース１２、退場管理データベース１３内に保存しておき、再入場ゲート装置４は、再入場時にその再入場者を撮影した再入場者画像と保存画像とを比較して、再入場者と退場者とが同一人物かを判定し、同一人物であれば、その保存画像に対応付けられている退場時刻からの経過時間に基づいて再入場を許可するか否かを決定するようにしたから、再入場に対して時間制限を設ることができ、ほんの一時的な退場者であれば、その再入場を即座に許可し、かなり時間を経ての再入場であれば、何らかの問題がある可能性が高いために、その再入場を保留することができる等、一時退場時から再入場時までの経過時間に応じて再入場管理を区別することが可能となる。
【００５３】
入場ゲート装置２は、新規入場時にその入場者を撮影した新規入場者画像を入場管理データベース１２内に保存しておき、退場ゲート装置３は、退場時にその退場者を撮影した退場者画像と入場管理データベース１２内の新規入場者画像とを比較して、退場者画像と新規入場者とが同一人物かを判定し、非同一人物であれば、退場者を確認すべきことを指示するようにしたから、正規な入口から入場しなかったり、入場手続きを経ずに入場した不正入場者が居た場合に、その退場時にその不正者を取り締まることができ他、直ちに不正者として扱うのではなく、先ずは退場者を確認するというソフトな応対が可能となり、たとえ、正規な入場者が画像チェックで制限を受けたとしても、不愉快な思いをさせずに応対することができる等、効果的な運用を可能とした入退場管理システムを提供することができる。この場合、退場確認の案内メッセージを出力した後に、その退場確認を無視してゲートを通過しようとする場合には、ゲートをクローズするようにしたから、その退場者を不正入場者として認定し、その退場を規制することができる。
【００５４】
なお、上述した実施形態においては、再入場専用のゲート装置４を設けたが、再入場ゲート装置４は、必ずしも必要ではなく、新規入場時に利用する入場ゲート装置２から再入場するようにしてもよい。
更に、入場ゲート装置２と退場ゲート装置３とを兼用するようにしてもよい。つまり、１つの入退場ゲート装置を設け、入場者の撮影と退場者の撮影を個別に行うようにしてもよい。
【００５５】
また、上述した実施形態においては、入場者、退場者の顔画像を撮影し、その撮影画像から特徴を抽出して画像比較を行うようにしたが、顔画像の特徴抽出の他、補助的な要素として、撮影画像を解析して性別、身長、太り具合、作業着等を検出するようにすれば、より確実な本人確認が可能となる。この場合、性別、身長、太り具合、衣服等を撮影画像と共に登録保存しておけばよい。
【００５６】
一方、コンピュータに対して、上述した各手段を実行させるためのプログラムコードをそれぞれ記録した記録媒体（例えば、ＣＤ−ＲＯＭ、フロッピィデスク、ＲＡＭカード等）を提供するようにしてもよい。
すなわち、コンピュータが読み取り可能なプログラムコードを有する記録媒体であって、施設への新規入場時にその入場者を撮影した新規入場者画像を保存管理する機能と、再入場時にその再入場者を撮影した再入場者画像と前記新規入場者画像とを比較して、再入場者と新規入場者とが同一人物かを判定する機能と、非同一人物であることが判定された場合には、再入場者を確認すべきことを指示する入場確認案内通知を出力する機能とを実現させるためのプログラムを記録したコンピュータが読み取り可能な記録媒体を提供するようにしてもよい。
【００５７】
コンピュータが読み取り可能なプログラムコードを有する記録媒体であって、施設退場時にその退場者を撮影した退場者画像を保存管理する機能と、再入場時にその再入場者を撮影した再入場者画像と前記退場者画像とを比較して、再入場者と退場者とが同一人物かを判定する機能と、非同一人物であることが判定された場合には、再入場者を確認すべきことを指示する入場確認案内通知を出力する機能とを実現させるためのプログラムを記録したコンピュータが読み取り可能な記録媒体を提供するようにしてもよい。
【００５８】
コンピュータが読み取り可能なプログラムコードを有する記録媒体であって、施設退場者に関する画像をその退場時刻に対応付けて保存管理する機能と、再入場時にその再入場者を撮影した再入場者画像と前記保存画像とを比較して、再入場者と退場者とが同一人物かを判定する機能と、同一人物であることが判定された場合に、当該保存画像に対応付けられている退場時刻を取得し、この退場時刻からの経過時間に基づいて再入場を許可するかを決定する機能とを実現させるためのプログラムを記録したコンピュータが読み取り可能な記録媒体を提供するようにしてもよい。
【００５９】
コンピュータが読み取り可能なプログラムコードを有する記録媒体であって、施設への新規入場時にその入場者を撮影した新規入場者画像を保存管理する機能と、施設退場時にその退場者を撮影した退場者画像と前記新規入場者画像とを比較して、退場者画像と新規入場者とが同一人物かを判定する機能と、非同一人物であることが判定された場合には、退場者を確認すべきことを指示する退場確認案内通知を出力する機能とを実現させるためのプログラムを記録したコンピュータが読み取り可能な記録媒体を提供するようにしてもよい。
【００６０】
【発明の効果】
第１の発明（請求項１記載の発明）によれば、新規入場時にその入場者を撮影した新規入場者画像を保存しておき、再入場時にその再入場者を撮影した再入場者画像と新規入場者画像とを比較して、再入場者と新規入場者とが同一人物かを判定し、非同一人物であれば、再入場者を確認すべきことを指示する入場確認案内通知を出力するようにしたから、不正入場者を効果的に規制できることは勿論、再入場者と新規入場者とが異なる場合でも、直ちにその入場を拒否するのではなく、先ずは再入場者を確認するというソフトな応対が可能となり、たとえ、再入場時に正規な入場者が画像チェックで制限を受けたとしても、不愉快な思いをさせずに応対することができる等、効果的な運用を可能とした入退場管理システムを提供することができる。
第２の発明（請求項４記載の発明）によれば、退場時にその退場者を撮影した退場者画像を保存しておき、再入場時にその再入場者を撮影した再入場者画像と退場者画像とを比較して、再入場者と退場者とが同一人物かを判定し、非同一人物であれば、再入場者を確認すべきことを指示する入場確認案内通知を出力するようにしたから、不正入場者を効果的に規制できることは勿論、再入場者と退場者とが異なる場合でも、直ちにその入場を拒否するのではなく、先ずは再入場者を確認するというソフトな応対が可能となり、たとえ、再入場時に正規な入場者が画像チェックで制限を受けたとしても、不愉快な思いをさせずに応対することができる等、効果的な運用を可能とした入退場管理システムを提供することができる。
第３の発明（請求項８記載の発明）によれば、退場者の画像（新規入場者画像あるいは退場者画像）をその退場時刻に対応付けて保存しておき、再入場時にその再入場者を撮影した再入場者画像と保存画像とを比較して、再入場者と退場者とが同一人物かを判定し、同一人物であれば、その保存画像に対応付けられている退場時刻からの経過時間に基づいて再入場を許可するか否かを決定するようにしたから、再入場に対して時間制限を設ることができ、ほんの一時的な退場者であれば、その再入場を即座に許可し、かなり時間を経ての再入場であれば、何らかの問題がある可能性が高いために、その再入場を保留することができ、一時退場時から再入場時までの経過時間に応じて再入場管理を区別することが可能となる。
第４の発明（請求項９記載の発明）によれば、新規入場時にその入場者を撮影した新規入場者画像を保存しておき、退場時にその退場者を撮影した退場者画像と新規入場者画像とを比較して、退場者画像と新規入場者とが同一人物かを判定し、非同一人物であれば、退場者を確認すべきことを指示するようにしたから、正規な入口から入場しなかったり、入場手続きを経ずに入場した不正入場者が居た場合に、その退場時にその不正者を取り締まることができ他、直ちに不正者として扱うのではなく、先ずは退場者を確認するというソフトな応対が可能となり、たとえ、正規な入場者が画像チェックで制限を受けたとしても不愉快な思いをさせずに応対することができる。
【図面の簡単な説明】
【図１】入退場管理システムの全体構成を示したブロック図。
【図２】各ゲート装置２、３、４の基本的構成要素を示したブロック図。
【図３】ＤＢ管理サーバ１によってアクセスされる各種のデータベースを示し、（Ａ）は、入場チケットデータベース１１、（Ｂ）は、入場管理データベース１２、（Ｃ）は、退場管理データベース１３の内容を示した図。
【図４】入場ゲート装置２の動作を示したフローチャート。
【図５】退場ゲート装置３の動作を示したフローチャート。
【図６】再入場ゲート装置４の動作を示したフローチャート。
【図７】図６に続く、再入場ゲート装置４の動作を示したフローチャート。
【図８】図６に続く、再入場ゲート装置４の動作を示したフローチャート。
【符号の説明】
１　ＤＢ管理サーバ
２　入場ゲート装置
３　退場ゲート装置
４　再入場ゲート装置
５　ＬＡＮ
２１、３１、４１　ゲートセンサ
２２、３２、４２　撮影装置
１１　入場チケットデータベース
１２　入場管理データベース
１３　退場管理データベース
１０１　ＣＰＵ
１０２　記憶装置
１０４　通信部
１０５　チケット読取装置
１０６　ゲート開閉機構
１０７　メッセージ案内出力部
【図１】
2004126991.tif 000003
【図２】
2004126991.tif 000004
【図３】
2004126991.tif 000005
【図４】
2004126991.tif 000006
【図５】
2004126991.tif 000007
【図６】
2004126991.tif 000008
【図７】
2004126991.tif 000009
【図８】
2004126991.tif 000010